(57)【要約】【課題】  入賞口に入賞したパチンコ球の詰まりを防止する。【解決手段】  アタッカ装置を構成する後壁２７には、出口開口部３４及び底壁３７が設けられている。入賞通路の一部となる底壁３７には、入賞口側から出口開口部３４に向かって傾斜する第１及び第２の傾斜面５１，５２が形成されている。第１の傾斜面５１よりも第２の傾斜面５２のほうが傾斜角が急なので、第２の傾斜面５２を流下するパチンコ球が第１の傾斜面５１を流下するパチンコ球を押し退けて出口開口部３４から排出される。【選択図】        図５
2006263265.tif 000002
【特許請求の範囲】
【請求項１】
遊技領域を形成する遊技盤内に装着された本体と、開閉部材とを備え、前記本体は、遊技領域を流下した遊技媒体が入賞する入賞口、この入賞口から奥行き側へ略水平方向に延びる入賞通路、及びこの入賞通路の後方に設けられた排出通路へ遊技媒体を排出する出口開口部が形成され、前記入賞口を開閉するように前記開閉部材が配されるアタッカ装置において、
前記本体には、前記入賞通路の後端部を塞ぎ、且つ前記出口開口部を有する後壁が設けられており、前記出口開口部は、その底面が前記入賞通路の底面に連続した位置に配されており、前記入賞通路の底面には、前記出口開口部の底面へ向かって傾斜する複数の傾斜面が形成されており、この複数の傾斜面は、緩い傾斜を持つ第１の傾斜面と、この第１の傾斜面よりも傾斜が急な第２の傾斜面を含むことを特徴とするアタッカ装置。
【請求項２】
前記後壁は、奥行き方向と直交するように配置され、前記入賞通路の幅方向両端のうち一方の端部には、上下方向に延びて且つ前記後壁に対して垂直に配置された側方ガイド面が形成され、前記後壁には、奥行き方向と直交する垂直面と略平行な後方ガイド面が形成されており、前記第１及び第２の傾斜面は、互いに傾斜方向が異なり、前記入賞口から前記出口開口部に向かって下方に傾斜する傾斜面であることを特徴とする請求項１記載のアタッカ装置。
【請求項３】
前記第２の傾斜面は、前記側方ガイド面に接する第１の辺と、前記入賞口に接する第２の辺と、これら第１及び第２の辺の端部同士を結ぶ第３の辺とからなる三辺で囲まれた略三角形状で、前記第１の辺と第２の辺とが接する頂点から前記第３の辺に向かって下方に傾斜する傾斜面であることを特徴とする請求項１または２記載のアタッカ装置。
【請求項４】
前記第１の傾斜面は、前記出口開口部に接する第１の辺と、前記第２の傾斜面に接する第２の辺と、これら第１及び第２の辺の端部同士を結ぶ第３の辺とからなる三辺で囲まれた略三角形状で、前記第２の辺から前記第１の辺へ向かって下方に傾斜する傾斜面であることを特徴とする請求項１ないし３いずれか記載のアタッカ装置。
【請求項５】
前記入賞通路の底面には、前記第１の傾斜面に向かって下方に傾斜する第３の傾斜面が形成されており、この第３の傾斜面の傾斜方向先端から前記第１の傾斜面に向かって低くなる段差が形成されていることを特徴とする請求項１ないし４いずれか記載のアタッカ装置。
【発明の詳細な説明】
【技術分野】
【０００１】
本発明は、パチンコ店などの遊技場に設置して使用される遊技機用のアタッカ装置に関するものである。
【背景技術】
【０００２】
本明細書中ではパチンコ機を例に挙げて説明しているため、遊技媒体としてパチンコ球を用いて説明するが、遊技媒体としてはメダルなどの他の媒体も含む。また、遊技機の遊技盤面に設けられた入賞口にパチンコ球が入ることを入賞とする。
【０００３】
パチンコ店などの遊技場で使用されるパチンコ機は、パチンコ球に一定の価値が与えられ、遊技を行って獲得したパチンコ球を種々の景品に交換することができる。このため、遊技者はパチンコ球を大量に獲得するということを主な目的とし、短期間のうちに大量のパチンコ球を獲得できる遊技モードでの遊技を行うことが楽しみの一つとなっている。
【０００４】
パチンコ機の一種としてデジパチタイプと呼ばれる種類のパチンコ機が知られている。デジパチタイプのパチンコ機には、通常モードや当たりモードなどの遊技モードが設定されているものがある。
【０００５】
当たりモードでは、大入賞口を開閉する開閉部材が開放位置となって大入賞口にパチンコ球が入り易くなり、通常モードでは、開閉部材が閉じ位置となる。大入賞口の１回の開放、すなわち１ラウンドは、例えば大入賞口が３０秒開放されるか又は大入賞口にパチンコ球が１０個入賞したことを検知するまで開放され続ける。当たりモードは、例えば１５ラウンド実行されると終了する。当たりモードでは大入賞口が開放されるため、通常モードよりも多くのパチンコ球を獲得することができる。
【０００６】
このような大入賞口、及びこの大入賞口から連続する入賞通路を有し、遊技盤に取り付けられる本体と、大入賞口を開閉する開閉部材と、この開閉部材を駆動する駆動機構とからなるアタッカ装置が、例えば特許文献１に記載されている。このアタッカ装置では、大入賞口に入賞したパチンコ球は、入賞通路の後方に形成された出口開口から、入賞通路の裏側に位置する排出通路へと排出される。
【特許文献１】特開２００３−１２６４１６
【発明の開示】
【発明が解決しようとする課題】
【０００７】
上述したようなアタッカ装置では、出口開口の付近に検出センサを設け、この検出センサにより通過するパチンコ球をカウントするため、出口開口がパチンコ球の大きさに合わせて形成されており、一度に１個ずつのパチンコ球しか出口開口を通過できない。ところが、大入賞口の寸法は出口開口よりも大きく、一度にたくさんのパチンコ球が出口開口へ向かって流動していくため、出口開口でパチンコ球が詰まることがある。パチンコ球が詰まってしまうと、遊技が中断され、楽しみを妨げることとなってしまう。また出口開口で球詰まりがおきると、パチンコ球をカウントできなくなる。
【０００８】
本発明は、上記事情を考慮してなされたものであり、入賞口に入賞したパチンコ球の詰まりを防止することができるアタッカ装置を提供することを目的とする。
【課題を解決するための手段】
【０００９】
上記目的を達成するために、本発明のアタッカ装置は、遊技領域を形成する遊技盤内に装着された本体と、開閉部材とを備え、前記本体は、遊技領域を流下した遊技媒体が入賞する入賞口、この入賞口から奥行き側へ略水平方向に延びる入賞通路、及びこの入賞通路の後方に設けられた排出通路へ遊技媒体を排出する出口開口部が形成され、前記入賞口を開閉するように前記開閉部材が配されるアタッカ装置において、前記本体には、前記入賞通路の後端部を塞ぎ、且つ前記出口開口部を有する後壁が設けられており、前記出口開口部は、その底面が前記入賞通路の底面に連続した位置に配されており、前記入賞通路の底面には、前記出口開口部の底面へ向かって傾斜する複数の傾斜面が形成されており、この複数の傾斜面は、緩い傾斜を持つ第１の傾斜面と、この第１の傾斜面よりも傾斜が急な第２の傾斜面を含むことを特徴とする。
【００１０】
なお、本発明における遊技に要する遊技媒体（パチンコ球等）とは、遊技機による所定遊技を進行させるために現金と変換して使用する、直径１１mm程度の球状の玉、又は、直径２５〜３０mmで、且つ厚さ１．２mm程度のメダルとしての価値媒体などにより所定遊技を進行させる遊技機用価値媒体である。
【００１１】
本発明のアタッカ装置は、前述した必須の構成要素からなるが、その構成要素が具体的に以下のような場合であっても成立する。
【００１２】
前記後壁は、奥行き方向と直交するように配置され、前記入賞通路の幅方向両端のうち一方の端部には、上下方向に延びて且つ前記後壁に対して垂直に配置された側方ガイド面が形成され、前記後壁には、奥行き方向と直交する垂直面と略平行な後方ガイド面が形成されており、前記第１及び第２の傾斜面は、互いに傾斜方向が異なり、前記入賞口から前記出口開口部に向かって下方に傾斜する傾斜面であることが好ましい。
【００１３】
また、前記第２の傾斜面は、前記側方ガイド面に接する第１の辺と、前記入賞口に接する第２の辺と、これら第１及び第２の辺の端部同士を結ぶ第３の辺とからなる三辺で囲まれた略三角形状で、前記第１の辺と第２の辺とが接する頂点から前記第３の辺に向かって下方に傾斜する傾斜面であることが好ましい。さらにまた、前記第１の傾斜面は、前記出口開口部に接する第１の辺と、前記第２の傾斜面に接する第２の辺と、これら第１及び第２の辺の端部同士を結ぶ第３の辺とからなる三辺で囲まれた略三角形状で、前記第２の辺から前記第１の辺へ向かって下方に傾斜する傾斜面であることが好ましい。
【００１４】
あるいは、前記入賞通路の底面には、前記第１の傾斜面に向かって下方に傾斜する第３の傾斜面が形成されており、この第３の傾斜面の傾斜方向先端から前記第１の傾斜面に向かって低くなる段差が形成されていることが好ましい。
【発明の効果】
【００１５】
本発明によれば、アタッカ装置の本体には、入賞通路の後端部を塞ぎ、且つ出口開口部を有する後壁が設けられており、出口開口部は、その底面が入賞通路の底面に連続した位置に配されており、入賞通路の底面には、出口開口部の底面へ向かって傾斜する複数の傾斜面が形成されており、この複数の傾斜面は、緩い傾斜を持つ第１の傾斜面と、この第１の傾斜面よりも傾斜が急な第２の傾斜面とが含まれているので、入賞口に入賞したパチンコ球の詰まりを防止することができる。
【００１６】
さらに、後壁は、奥行き方向と直交するように配置され、入賞通路の幅方向両端のうち一方の端部には、上下方向に延びて且つ後壁に対して垂直に配置された側方ガイド面が形成され、後壁には、奥行き方向と直交する垂直面と略平行な後方ガイド面が形成されており、第１及び第２の傾斜面は、互いに傾斜方向が異なり、入賞口から出口開口部に向かって下方に傾斜する傾斜面となっているので、第１及び第２の傾斜面と、後方及び側方ガイド面によって遊技媒体がガイドされるため、球詰まりを確実に防ぐことができる。
【００１７】
また、第２の傾斜面が、側方ガイド面に接する第１の辺と、入賞口に接する第２の辺と、これら第１及び第２の辺の端部同士を結ぶ第３の辺とからなる三辺で囲まれた略三角形状で、第１の辺と第２の辺とが接する頂点から第３の辺に向かって下方に傾斜する傾斜面であることや、第１の傾斜面が、出口開口部に接する第１の辺と、第２の傾斜面に接する第２の辺と、これら第１及び第２の辺の端部同士を結ぶ第３の辺とからなる三辺で囲まれた略三角形状で、第２の辺から第１の辺へ向かって下方に傾斜する傾斜面であることによって、さらに確実に球詰まりを防ぐことができる。
【００１８】
また、入賞通路の底面には、第１の傾斜面に向かって下方に傾斜する第３の傾斜面が形成されており、この第３の傾斜面の傾斜方向先端から第１の傾斜面に向かって低くなる段差が形成されているので、この段差を通過するときに遊技媒体に勢いが付いて出口開口部へ流下していくので、さらに確実に球詰まりを防ぐことができる。
【発明を実施するための最良の形態】
【００１９】
図１にパチンコ機１０の外観を示し、先ず、パチンコ機１０の遊技の流れの概略を説明する。パチンコ機１０では、通常モード、当たりモードの２つの遊技モードが設けられている。後述する始動入賞口１３にパチンコ球５が入賞すると、当たりモードに移行する権利のみを付与する当たり又はハズレのいずれかを抽選により決定する当たり決定抽選が行われる。当たり決定抽選で当たりに当選すると通常モードから当たりモードに移行される。当たりモードでは、通常モードで閉じられた状態となっている大入賞口（入賞口）１７が開放される。なお、大入賞口１７は後述するアタッカ装置１５に設けられている。そして、１回の当たりモードでは大入賞口１７を開放する回数は例えば１５回となっており、大入賞口１７は１回の開放につき例えば３０秒経過するまで又はパチンコ球５が１０個入賞するまで開放される。
【００２０】
次に、パチンコ機１０の構成を説明する。パチンコ機１０の遊技盤１１の遊技盤面１１ａには図柄表示装置１２が組み込まれている。さらに、遊技盤面１１ａには、始動入賞口１３、通常入賞口１４、アタッカ装置１５、アウト口１６が設けられ、なお図示は省略してあるが、障害釘や風車などが設けられている。
【００２１】
また、パチンコ機１０には発射ハンドル１８が設けられており、発射ハンドル１８が操作されると、パチンコ球５は発射制御装置によって一個ずつ遊技盤面１１ａ上の遊技領域に打ち出され、始動入賞口１３又は通常入賞口１４のいずれかに入賞するか、あるいは、ハズレ扱いとなるアウト口１６に入る。始動入賞口１３、通常入賞口１４、大入賞口１７にパチンコ球５が入賞すると、入賞した入賞口ごとに割り当てられた個数のパチンコ球５が払い出し口２０から受け皿２１に払い出される。
【００２２】
図２及び図３に示すように、アタッカ装置１５は、大入賞口１７が設けられた本体２１、大入賞口１７を開閉する開閉部材２２、この開閉部材２２を駆動する駆動機構２３、及び球カウント用の検出センサ２４からなる。本体２１は、箱体２６と、この箱体２６の後端を塞ぐ後壁２７と、後壁２７の背面側に位置する支持部材２８とからなり、これらはネジ止めによって互いに固着されている。
【００２３】
箱体２６は、略水平方向に延びる矩形の箱状で、後述する底壁３７とともに、大入賞口１７から連続する入賞通路２９（図４参照）を形成する。この箱体２６は、側壁３１，３２及び上壁３３を有する。側壁３１，３２は、大入賞口１７の幅方向両端に近接する位置から奥行き方向に沿って延びる垂直面と平行に形成され、上壁３３は、側壁３１，３２と直交する水平面と略平行に形成されている。
【００２４】
さらに、箱体２６の前面には、遊技盤面１１ａに固着される前基板３６が一体に設けられている。前基板３６は、横長矩形板状に形成され、その略中央に大入賞口１７が位置するように配設されている。
【００２５】
後壁２７は、後述する排出通路３２へパチンコ球５を排出する出口開口部３４が形成されており、さらに箱体２６の底面を塞ぎ、箱体２６とともに入賞通路２９を形成する底壁３７、及び突起部３８，３９が一体に形成されている。出口開口部３４は、その底面が入賞通路２９の底面に連続した位置に配されている。後壁２７は、奥行き方向と直交するように配置されており、その前面は、入賞通路２９と略直交する垂直面とほぼ平行に配設され、入賞通路２９の後端部を塞ぎ、パチンコ球５を出口開口部３４に導く後方ガイド面２７ａとなっている。
【００２６】
箱体２６及び底壁３７からなる入賞通路２９は、図４に示すように、奥行き方向と直交する垂直面で切断したときの切断面が横長矩形状で、幅方向両端のうち一方の端部、すなわち一方の側壁３１に近接する位置に出口開口部３４が設けられている。突起部３８は、奥行き方向に沿って形成されている。この突起部３８の出口開口部３４に接する側面は、上下方向に延びて且つ奥行き方向に沿って延びる垂直面と略平行に形成され、パチンコ球５を出口開口部３４に導く側方ガイド面３８ａとなっている。
【００２７】
底壁４１には、パチンコ球５を出口開口部３４に導き、且つ球詰まりを防ぐための第１及び第２傾斜面５１，５２と、上述した他方の側壁３２の付近から第１の傾斜面５１に向かって下方に傾斜する第３の傾斜面５３とが形成されている。
【００２８】
第１及び第２の傾斜面５１，５２について詳細に説明する。第２の傾斜面５２は、側方ガイド面３８ａに接する第１の辺５２ａと、大入賞口１７に接する第２の辺５２ｂと、第１の辺５２ａ及び第２の辺５２ｂの端部同士を結んだ第３の辺５２ｃとからなる三辺で囲まれた直角二等辺三角形状で、第１の辺５１ａと第２の辺５２ａとが接する頂点５２ｄから第３の辺５２ｃに向かって下方へ傾斜する。第１の傾斜面５１は、出口開口部３４に接する第１の辺５１ａと、第２の傾斜面５１ｂに接する第２の辺５１ｂと、第１の辺５１ａ及び第２の辺５１ｂの端部同士を結んだ第２の辺５１ｃとからなる三辺で囲まれた直角二等辺三角形状で、第２の辺５１ｂから第１の辺５１ａに向かって下方へ傾斜する。なお、本実施形態においては、第１の傾斜面５１の第２の辺５１ｂと、第２の傾斜面５２の第３の辺５２ｃとは同一であり、この辺５１ｂ（５２ｃ）を介して第１及び第２の傾斜面５１，５２が連続している。
【００２９】
図７及び図８は、第１及び第２の傾斜面５１，５２を、それぞれの傾斜方向に沿って切断した断面図を示すものであり、符号αは、水平面に対する第１の傾斜面５１の傾斜角で、符号βは、水平面に対する第２の傾斜面５２の傾斜角である。この図７及び図８で示すように、第１の傾斜面５１は緩い傾斜を持つように形成されており、第１の傾斜面５１の傾斜角αよりも第２の傾斜面５２の傾斜角βのほうが大きい。
【００３０】
第３の傾斜面５３は、上述した後方ガイド面２７ａに沿って形成されており、その傾斜方向先端の端縁５３ａと、第１の傾斜面５１の第３の辺５１ａとは、図６に示すように、上面から見たとき重なる位置にあり、さらに図９に示すように、第３の傾斜面５３の端縁５３ａから、第１の傾斜面５１の第３の辺５１ａへ向かって低くなる段差Ｄを有する。この段差Ｄによって、パチンコ球５に勢いが付き、出口開口部３４へ向かって流下する。
【００３１】
支持部材２８は、図３に示すように、駆動機構２３及び検出センサ２４を支持するとともに、排出通路３２が一体に形成されている。排出通路３２は、出口開口部３４の裏面側に配設しており、出口開口部３４から排出されたパチンコ球５が通過するようになっている。また排出通路３２の前面には、後述する押え面５９が形成されている。
【００３２】
検出センサ２４は、矩形板状の外形に形成されており、パチンコ球５に合わせた検出開口６０が形成されている。この検出センサ２４は、いわゆる磁気式近接センサであり、検出開口６０の周囲に配置されたコイル６１（図１０参照）に給電が行なわれ、磁束を発生させる。これによって、コイル６１に発生した磁束の内部、すなわち検出開口６０の内部をパチンコ球５が通過すると検知信号が出力され、パチンコ機１０の制御部へ送信される。
【００３３】
検出センサ２４は、図１０に示すように、後壁２７の背面２７ｂに形成された取付部４５に取り付けられる。この検出センサ２４は、後壁２７と支持部材２８の押え面５９の間に挟み込まれて取り付けられ、且つ後壁２７の背面に沿って所定の傾斜角度、例えば垂直面からの角度αが５°〜２０°で固定されるようになっている。
【００３４】
開閉部材２２は、大入賞口１７に合わせた横長矩形状に形成され、両端部に位置する側板部７１ａ，７１ｂと、ヒンジ部７２とを有する。この開閉部材２２は、ヒンジ部７２に取り付けられた回転軸７３を介して箱体２６に回動自在に取り付けられる。側板部７１ａ，７１ｂは、開閉部材２２が開き位置に回動されたとき、開閉部材２２から大入賞口１７側へ突出するように形成されており、開閉部材２２に流下したパチンコ球５を大入賞口１７側へ導く。また、開閉部材２２には、一方の側板部７１ａが形成されている端部にヒンジ部７２を中心にして側板部７１ａと反対側の位置に被押圧突起部７４が形成されている。側板部７１ａ、及び被押圧突起部７４は、後述するリンク部材７５によって押圧されて開閉部材をヒンジ部７２を中心にして回動させる。
【００３５】
駆動機構２３は、リンク部材７５、ソレノイド７６、このソレノイド７６の駆動鉄芯７６ａを付勢する付勢部材７７とからなる。リンク部材７５は、支持部材２８に形成された取り付けピン７９と回動自在に嵌合する取り付け穴７５ａと、駆動鉄芯７６ａと係合する係合溝７５ｂと、取り付け穴７５ａと中心軸をずらして形成されたリンクピン７５ｃとを有する。リンクピン７５ｃは、開閉部材２２の側板部７１ａ及び被押圧突起部７４と当接する。なお、支持部材２８には、ソレノイド７６を下方から支持する支持突起部８１が一体に設けられている。
【００３６】
ソレノイド７６は、駆動鉄芯７６ａ、ボビン７６ｂ、及びこれらを保持するフレーム７６ｃからなる。駆動鉄芯７６ａの先端部には、略円盤状でリンク部材７５を押圧する連結部７６ｄが一体に形成されている。付勢部材７７は、フレーム７６ｃ及び連結部７６ｄの間に取り付けられている。なお、付勢部材７７としては、図２に示すようにコイルばねが用いられるが、これに限らず板ばねなどでもよい。ソレノイド７６は、その作動条件によって、ボビン７６ｂへの通電状態及び無通電状態が切り替えられて駆動鉄芯７６が移動する。そして、無通電状態のとき、駆動鉄芯７６ａは、付勢部材７７の付勢によってボビン７６ｂから突出する位置にあり、このとき、駆動鉄芯７６ａと係合するリンク部材７５は、リンクピン７５ｃによって開閉部材２２の被押圧突起部７４を押圧する。このリンクピン７５ｃからの押圧によって開閉部材２２は閉じ位置に保持され、大入賞口１７は閉じられた状態となる。そして、通電状態のとき、駆動鉄芯７６ａは、付勢部材７７の付勢に抗してボビン７６ｂの内部に引き込まれ、このとき、リンク部材７５は、図中時計方向に回動してリンクピン７５ｃが上方に移動し、開閉部材２２の側板部７１ａを押圧する。このリンクピン７５ｃからの押圧によって開閉部材２２は開放位置に移動する。開閉部材２２は、ボビン７６ｂへの通電状態が続く限り、この開放位置に保持され、大入賞口１７は開放状態となる。なお、開放位置となった開閉部材２２（図２に示す位置）は、その上面２２ａが奥行き方向へ傾斜する傾斜面となるように設置されている。
【００３７】
なお、ソレノイド７６は、付勢部材７７とともにユニット化され、このソレノイド７６及び付勢部材７７のセットで組み付けられる。本実施形態では、後壁２７及び支持部材２８の間に挟み込まれて保持され、検出センサ２４と近接する位置に固定される。
【００３８】
次に、上記のように構成されたパチンコ機の作用について図１１を用いて説明する。先ず、上述したように、始動入賞口１３へのパチンコ球５の入賞を契機として当たり決定抽選が行われ、その抽選の結果、当たりモードへと移行されると、ソレノイド７６のボビン７６ｂへの通電が行われて駆動機構２３が作動し、開閉部材２３が開放位置に移動して、大入賞口１７は開放状態となる。
【００３９】
開放状態となった大入賞口１７には、図１１（Ａ）に示すように遊技領域を流下してきたパチンコ球５が開閉部材２２の上面２２ａを通って入賞通路２９へ進入してくる。上述したように、入賞通路２９には、第１〜第３傾斜面５１〜５３が形成されており、大入賞口１７から進入してきたパチンコ球５は、第２及び第３第傾斜面５２，５３、後方ガイド面２７ａ、及び側方ガイド面３８ａに導かれ、さらに第１傾斜面５１を通過して出口開口部３４へと向かっていく。なお、図１１においては、以下での説明の都合上、第１傾斜面５１を流下するパチンコ球５の符号を５ａ、第２傾斜面５２を流下するパチンコ球５の符号を５ｂとしている。
【００４０】
このようにして、パチンコ球５が出口開口４４へ流れ込むとき、第１傾斜面５１を流下するパチンコ球５ａと、第２傾斜面５２を流下するパチンコ球５ｂとがほぼ同じタイミングで、出口開口４４の付近に到達して互いにぶつかり合うときがある（図１１（Ａ）に示す状態）。このような状態のとき、上述したように、第１傾斜面５１の傾斜角αよりも、第２傾斜面５２の傾斜角βの方が急になっているため、パチンコ球５ｂの方がパチンコ球５ａよりも流下するときの運動エネルギー、すなわち、押すときの力が大きい。これによって、パチンコ球５ｂがパチンコ球５ａを押し退けるような状態（図１１（Ｂ）に示す状態）となり、パチンコ球５ａを押し退けたパチンコ球５ｂの方が先に出口開口４４へと流れ込み、その後にパチンコ球５ａが続く（図１１（Ｃ）に示す状態）。このようにして、第１及び第２傾斜面５１，５２を設けることによって、出口開口部３４付近にパチンコ球５が２つ以上あるときでも、一方のパチンコ球５が他方のパチンコ球５を押し退けて排出されるので、大入賞口１７に入賞したパチンコ球の詰まりを防止することができる。
【００４１】
なお、上記実施形態では、パチンコ球５が排出される出口開口部３４が、入賞通路２９の幅方向に対して一端側に近接する位置に配されているが、本発明は、このような構成に限らず、例えば、図１２に示すように、出口開口部３４が、幅方向の中央付近に設けられている構成でもよい。なお、この例の場合、出口開口部３４及び底壁９１が形成された後壁９０は、上記実施形態の後壁２７と同様に、箱体２６及び支持部材２８、開閉部材２２、駆動機構２３、及び検出センサ２４とともにアタッカ装置を構成する。この後壁９０に形成された底壁９１には、第１〜第３の傾斜面９６〜９８が形成されている。この傾斜面９６〜９８は、それぞれ大入賞口１７から出口開口部３４へ向かってパチンコ球５を導くように下方に傾斜している。さらに、これらのうち、第１傾斜面９６の傾斜角が最も緩く、第２の傾斜面９７は第１の傾斜面９６よりも傾斜が急で、第３の傾斜面９８はさらに第２の傾斜面９７よりも傾斜が急になっている。このようにそれぞれ異なる傾斜角の傾斜面を有する構成とすることによって、より傾斜が急な傾斜面を流下してくるパチンコ球５の方が、緩い傾斜の傾斜面を流下してくるパチンコ球５を押し退けるようにして出口開口部３４からパチンコ球５が排出されるので、上記実施形態と同様に、パチンコ球５の詰まりを防止することができる。
【図面の簡単な説明】
【００４２】
【図１】パチンコ機の斜視図である。
【図２】本発明のアタッカ装置の外観斜視図である。
【図３】本発明のアタッカ装置の分解斜視図である。
【図４】本発明のアタッカ装置を幅方向且つ垂直方向に沿って切断した要部断面図である。
【図５】出口開口、及び第１，２の傾斜面周辺の構成を示す斜視図である。
【図６】出口開口、及び第１，２の傾斜面を上方から見た平面図である。
【図７】図６に示すＡ−Ａ線に沿って切断した断面図である。
【図８】図６に示すＢ−Ｂ線に沿って切断した断面図である。
【図９】図６に示すＣ−Ｃ線に沿って切断した断面図である。
【図１０】本発明のアタッカ装置を奥行き方向且つ垂直方向に沿って切断した要部断面図である。
【図１１】アタッカ装置にパチンコ球が入賞し、排出通路へ排出されるときの状態を示す説明図である。
【図１２】第１実施形態の変形例を示す斜視図である。
【符号の説明】
【００４３】
１０  パチンコ機
１５  アタッカ装置
１７  大入賞口（入賞口）
２７ａ  後方ガイド面
２９  入賞通路
３２  排出通路
３４  出口開口部
３８ａ  側方ガイド面
５１  第１の傾斜面
５２  第２の傾斜面
５３  第３の傾斜面
【図１】
2006263265.tif 000003
【図２】
2006263265.tif 000004
【図３】
2006263265.tif 000005
【図４】
2006263265.tif 000006
【図５】
2006263265.tif 000007
【図６】
2006263265.tif 000008
【図７】
2006263265.tif 000009
【図８】
2006263265.tif 000010
【図９】
2006263265.tif 000011
【図１０】
2006263265.tif 000012
【図１１】
2006263265.tif 000013
【図１２】
2006263265.tif 000014